(57)【要約】【課題】走査線の選択に必要となる開始パルスの個数を削減する。【解決手段】複数の走査線２２の各々を選択する走査信号Ｙ[1]〜Ｙ[m]を生成する走査線駆動回路３２は、転送回路５２とパルス生成回路５４とを含んで構成される。転送回路５２は、開始パルスＰ0を順次シフトした転送パルスＰSを配置した複数の転送信号Ｓ[0]〜Ｓ[m]を生成する。パルス生成回路５４は、転送信号Ｓ[i]における転送パルスＰSの前縁に対応する選択パルスＱAと後縁に対応する選択パルスＱBとを走査信号Ｙ[i]として生成する。【選択図】図４
2010048935.tif 000002
【特許請求の範囲】
【請求項１】
複数の走査線の各々を選択する走査信号を生成する走査線駆動回路であって、
開始パルスを順次シフトした転送パルスを配置した複数の転送信号を生成する転送回路と、
前記各転送パルスの前縁に対応する第１選択パルスと後縁に対応する第２選択パルスとを前記走査信号として生成するパルス生成回路と
を具備する走査線駆動回路。
【請求項２】
前記転送回路は、相隣接する前記各転送信号の前記転送パルスが重複するように前記複数の転送信号を生成し、
前記パルス生成回路は、前記各転送信号に対応するｍ段の単位回路を含み、
第ｉ段（１≦ｉ≦ｍ）の単位回路は、
第ｉ段の転送信号の転送パルスの前縁において第(i-1)段の転送信号とは論理レベルが反対の区間に対応した第１パルスを生成する第１論理回路と、
第ｉ段の転送信号の転送パルスの後縁において第(i+1)段の転送信号とは論理レベルが反対の区間に対応した第２パルスを生成する第２論理回路と、
前記第１パルスに対応する前記第１選択パルスと前記第２パルスに対応する前記第２選択パルスとを生成する第３論理回路とを含む
請求項１の走査線駆動回路。
【請求項３】
前記ｍ段の単位回路には、論理レベルが順次に反転する第１許可信号と、論理レベルが前記第１許可信号とは反対の第２許可信号とが供給され、
第ｉ段の単位回路における前記第１論理回路は、
第ｉ段の転送信号の論理レベルを反転させる第１反転回路と、
前記第１反転回路からの出力信号と第(i-1)段の転送信号と前記第１許可信号とが入力される第１ＮＡＮＤ回路とを含み、
第ｉ段の単位回路における前記第２論理回路は、
第(i-1)段の転送信号の論理レベルを反転させる第２反転回路と、
前記第２反転回路からの出力信号と第ｉ段の転送信号と前記第２許可信号とが入力される第２ＮＡＮＤ回路とを含み、
前記第３論理回路は、前記第１ＮＡＮＤ回路の出力信号と前記第２ＮＡＮＤ回路の出力信号との否定論理積を前記走査信号として出力する
請求項２の走査線駆動回路。
【請求項４】
前記パルス生成回路は、前記各転送信号に対応するｍ段の単位回路を含み、
第ｉ段（１≦ｉ≦ｍ）の単位回路は、第ｉ段の転送信号と第(i-1)段または第(i+1)段の転送信号との排他的論理和に応じて前記走査信号を生成する
請求項１の走査線駆動回路。
【請求項５】
前記パルス生成回路は、前記各転送信号に対応するｍ段の単位回路を含み、
第ｉ段（１≦ｉ≦ｍ）の単位回路は、第ｉ段の転送信号における前記転送パルスの前縁に対応する時点に前記第１選択パルスを生成し、前記第ｉ段の転送信号における前記転送パルスの後縁に対応する時点に前記第２選択パルスを生成する
請求項１の走査線駆動回路。
【請求項６】
信号線と複数の走査線との各交差に対応する複数の電気光学素子と、
複数の走査線の各々を順次に選択する請求項１から請求項５の何れかの走査線駆動回路と
を具備する電気光学装置。
【請求項７】
請求項６の電気光学装置を具備する電子機器。
【発明の詳細な説明】
【技術分野】
【０００１】
本発明は、液晶素子などの電気光学素子を駆動する技術に関する。
【背景技術】
【０００２】
１個のフィールド期間を区分した複数のサブフィールド期間の各々にて電気光学素子をオン状態またはオフ状態とすることで電気光学素子の階調を制御するサブフィールド駆動方式が例えば特許文献１に開示されている。また、液晶素子に印加される電圧の極性を１個のフィールド期間内の第１サブフィールド期間と第２サブフィールド期間とで反転させることで、正極性の電圧が印加される液晶素子と負極性の電圧が印加される液晶素子とを１列内で同数とする領域走査駆動方式が例えば特許文献２に開示されている。
【０００３】
サブフィールド駆動方式および領域走査駆動方式の何れにおいても、１個のフィールド期間内に各走査線が複数回（１フィールド期間内のサブフィールド期間の総数に相当する回数）にわたって選択される。複数の走査線の各々を順次に選択する走査線駆動回路にはシフトレジスタ回路が好適に採用される。シフトレジスタ回路は、外部から供給される開始パルスを順次シフトすることで、各走査線を選択するパルスを生成および出力する。
【特許文献１】特開２００３−１１４６６１号公報
【特許文献２】特開２００５−２２７４７４号公報
【発明の開示】
【発明が解決しようとする課題】
【０００４】
しかし、開始パルスをシフトしたパルスが各走査線に出力されるから、サブフィールド駆動方式や領域走査駆動方式のもとでは、フィールド期間内のサブフィールド期間の総数に相当する個数の開始パルスをフィールド期間毎に順次に走査線駆動回路に供給する必要がある。したがって、開始パルスの生成や処理に必要な電力の低減が困難であるという問題がある。以上の事情に鑑みて、本発明は、走査線の選択に必要となる開始パルスの個数を削減することを目的とする。
【課題を解決するための手段】
【０００５】
以上の課題を解決するために、本発明に係る走査線駆動回路は、開始パルスを順次シフトした転送パルスを配置した複数の転送信号を生成する転送回路と、各転送パルスの前縁に対応する第１選択パルス（例えば図２の選択パルスＱA）と後縁に対応する第２選択パルス（例えば図２の選択パルスＱB）とを走査信号として生成するパルス生成回路とを具備する。以上の構成によれば、走査信号の第１選択パルスおよび第２選択パルスが１個の開始パルスから生成されるため、１個の開始パルスから走査信号の１個のパルスが生成される構成と比較して、走査線の選択に必要となる開始パルスの個数が削減されるという利点がある。
【０００６】
パルス生成回路の具体的な構成は任意であるが、以下に例示する各態様が好適に採用される。まず、相隣接する各転送信号の転送パルスが重複するように転送回路が複数の転送信号を生成する構成において、パルス生成回路は、相隣接する各転送信号において論理レベルが相違する区間（例えば図５の区間Ｇ1や区間Ｇ2）に対応して第１選択パルスおよび第２選択パルスを生成する。以上の構成によれば、相隣接する各転送信号において論理レベルが相違する区間を抽出する簡素な構成で転送回路を実現することが可能である。
【０００７】
例えば、第１の態様に係るパルス生成回路は、各転送信号に対応するｍ段の単位回路（例えば図４の単位回路ＵB[1]〜ＵB[m]）を含み、第ｉ段の単位回路は、第ｉ段の転送信号の転送パルスの前縁において第(i-1)段の転送信号とは論理レベルが反対の区間（例えば図５の区間Ｇ1）に対応した第１パルス（例えば図５のパルスＰA0）を生成する第１論理回路（例えば図６の論理回路６１）と、第ｉ段の転送信号の転送パルスの後縁において第(i+1)段の転送信号とは論理レベルが反対の区間（例えば図５の区間Ｇ2）に対応した第２パルス（例えば図５のパルスＰB0）を生成する第２論理回路（例えば図６の論理回路６２）と、第１パルスに対応する第１選択パルスと第２パルスに対応する第２選択パルスとを生成する第３論理回路（例えば図６のＮＡＮＤ回路６３）とを含む。
【０００８】
また、論理レベルが順次に反転する第１許可信号と、論理レベルが第１許可信号とは反対の第２許可信号とがｍ段の単位回路に供給される構成のもとでは、第ｉ段の単位回路において、第１論理回路は、第ｉ段の転送信号の論理レベルを反転させる第１反転回路（例えば図６の反転回路６１２）と、第１反転回路からの出力信号と第(i-1)段の転送信号と第１許可信号とが入力される第１ＮＡＮＤ回路（例えば図６のＮＡＮＤ回路６１４）とを含み、第２論理回路は、第(i-1)段の転送信号の論理レベルを反転させる第２反転回路（例えば図６の反転回路６２２）と、第２反転回路からの出力信号と第ｉ段の転送信号と第２許可信号とが入力される第２ＮＡＮＤ回路（例えば図６のＮＡＮＤ回路６２４）とを含み、第３論理回路は、第１ＮＡＮＤ回路の出力信号と第２ＮＡＮＤ回路の出力信号との否定論理積を走査信号として出力する。以上のように第１許可信号と第２許可信号とを利用した構成においては、第１選択パルスと第２選択パルスとが複数の走査信号にて重複することを回避できる。
【０００９】
本発明の第２の態様におけるパルス生成回路は、各転送信号に対応するｍ段の単位回路を含み、第ｉ段（１≦ｉ≦ｍ）の単位回路は、第ｉ段の転送信号と第(i-1)段または第(i+1)段の転送信号との排他的論理和に応じて走査信号を生成する。以上の態様においては、パルス生成回路の構成が簡素化されるという利点がある。
【００１０】
本発明の第３の態様におけるパルス生成回路は、各転送信号に対応するｍ段の単位回路（例えば図９の単位回路ＵB[1]〜ＵB[m]）を含み、第ｉ段（１≦ｉ≦ｍ）の単位回路は、第ｉ段の転送信号における転送パルスの前縁に対応する時点に第１選択パルスを生成し、第ｉ段の転送信号における転送パルスの後縁に対応する時点に第２選択パルスを生成する。以上の態様においては、転送パルスの前縁および後縁に対応する各時点に第１選択パルスや第２選択パルスが配置されるから、第１選択パルスや第２選択パルスのパルス幅を転送信号や開始パルスのパルス幅とは無関係に設定できるという利点がある。
【００１１】
以上の各態様に係る走査線駆動回路は、信号線と複数の走査線との各交差に対応する複数の電気光学素子を具備する電気光学装置において、複数の走査線の各々を順次に選択するために利用される。本発明の走査線駆動回路においては開始パルスの個数が削減されるから、電気光学装置にて消費される電力が削減されるという利点がある。なお、電気光学素子は、電気的な作用（電流の供給や電圧の印加）に応じて光学的な特性（階調）が変化する素子である。
【００１２】
本発明に係る電気光学装置は各種の電子機器に利用される。電子機器の典型例は、電気光学装置を表示装置として利用した機器である。本発明に係る電子機器としてはパーソナルコンピュータや携帯電話機が例示される。もっとも、本発明に係る電気光学装置の用途は画像の表示に限定されない。例えば、光線の照射によって感光体ドラムなどの像担持体に潜像を形成するための露光装置（光ヘッド）としても本発明の電気光学装置が適用される。
【発明を実施するための最良の形態】
【００１３】
＜Ａ：第１実施形態＞
図１は、本発明の第１実施形態に係る電気光学装置のブロック図である。電気光学装置１００は、画像を表示する表示装置として電子機器に搭載される。図１に示すように、電気光学装置１００は、複数の画素回路１２が配列された素子部（表示領域）１０と、各画素回路１２を駆動する走査線駆動回路３２および信号線駆動回路３４と、走査線駆動回路３２および信号線駆動回路３４を制御する制御回路４０とを具備する。
【００１４】
素子部１０には、Ｘ方向に延在するｍ本の走査線２２と、Ｘ方向に交差するＹ方向に延在するｎ本の信号線２４とが形成される（ｍ，ｎは自然数）。複数の画素回路１２は、各走査線２２と各信号線２４との交差に配置されて縦ｍ行×横ｎ列の行列状に配列する。各画素回路１２は、画素電極と対向電極との間の電圧に応じて液晶の透過率が変化する液晶素子（液晶容量）１４を含む。
【００１５】
走査線駆動回路３２は、複数の走査線２２の各々を順次に選択するｍ相の走査信号Ｙ[1]〜Ｙ[m]をを生成して各走査線２２に出力する。図２は、走査信号Ｙ[1]〜Ｙ[m]の波形図である。図２に示すように、走査信号Ｙ[i]（ｉ＝１〜ｍ）のうち１個のフィールド期間Ｆに相当する区間内には、第ｉ行の走査線２２の選択を意味する選択パルスＱAと選択パルスＱBとが配置される。すなわち、１本の走査線２２についてフィールド期間Ｆ毎に２回の選択が実行される。
【００１６】
１個のフィールド期間Ｆはサブフィールド期間ＳF1とサブフィールド期間ＳF2とに区分される。各選択パルスＱAは、走査信号Ｙ[1]〜Ｙ[m]の各々にサブフィールド期間ＳF1の最初から順番に発生する。また、各選択パルスＱBは、走査信号Ｙ[1]〜Ｙ[m]の各々にサブフィールド期間ＳF2の始点から順番に発生する。すなわち、走査信号Ｙ[i]の選択パルスＱBは、走査信号Ｙ[i]のうち選択パルスＱAから所定の時間長Ｄが経過した時点に配置される。選択パルスＱAと選択パルスＱBとは複数の走査信号Ｙ[1]〜Ｙ[m]にて重複しない（すなわち、各走査線２２は択一的に選択される）。
【００１７】
信号線駆動回路３４は、走査線駆動回路３２による走査線２２の選択に同期して各信号線２４に階調信号Ｘ[1]〜Ｘ[n]を出力する。走査線駆動回路３２による第ｉ行の選択中に第ｊ列（ｊ＝１〜ｎ）の信号線２４に出力される階調信号Ｘ[j]は、第ｉ行に属する第ｊ列目の画素回路１２に階調値を指定する電圧信号である。液晶素子１４は、走査線駆動回路３２による走査線２２の選択時に信号線２４から供給される階調信号Ｘ[j]の電圧を保持することで階調信号Ｘ[j]に応じた階調に制御される。
【００１８】
各画素回路１２に供給される階調信号Ｘ[j]の電圧は、所定の電位（例えば液晶素子１４の対向電極の電位）を基準とした正極性および負極性の一方から他方に順次に変化する。さらに詳述すると、選択パルスＱAによる走査線２２の選択時の階調信号Ｘ[j]は正極性に設定され、選択パルスＱBによる走査線２２の選択時の階調信号Ｘ[j]は負極性に設定される。したがって、各画素回路１２の液晶素子１４に印加される電圧の極性は、図３に示すように、選択パルスＱAによる選択が完了した走査線２２と選択パルスＱBによる選択が完了した走査線２２とに挟まれた領域Ａ1（正極性）と領域Ａ1以外の領域Ａ2（負極性）とで逆極性となる。そして、正極性の領域Ａ1は走査線駆動回路３２による選択の進行とともにＹ方向の正側に順次に移動する。以上のように画素回路１２の駆動には領域走査駆動方式が採用される。正極性の領域Ａ1のＹ方向のサイズ（領域Ａ1に属する走査線２２の本数）は、選択パルスＱAと選択パルスＱBとの時間差Ｄに応じて決定される。
【００１９】
次に、図４から図６を参照して、走査線駆動回路３２の具体的な構成および動作を説明する。図４に示すように、走査線駆動回路３２は、転送回路５２とパルス生成回路５４とを含んで構成される。転送回路５２には制御回路４０から開始パルスＰ0が供給される。制御回路４０は、例えば上位装置からの指示に応じて開始パルスＰ0のパルス幅を可変に設定する。開始パルスＰ0は、複数のフィールド期間Ｆの各々において当該フィールド期間Ｆの最初に１回だけ出力される。
【００２０】
転送回路５２は、制御回路４０から供給される開始パルスＰ0を順次シフト（遅延）した(m+1)相の転送信号Ｓ[0]〜Ｓ[m]を生成するシフトレジスタ回路である。図４に示すように、転送回路５２は、第０段から第ｍ段までの(m+1)段の単位回路（フリップフロップ）ＵA[0]〜ＵA[m]で構成される。単位回路ＵA[0]〜ＵA[m]には制御回路４０から共通のクロック信号ＣLK（周期Ｔ）が供給される。図５に示すように、第ｉ段目の単位回路ＵA[i]は、前段の単位回路ＵA[i-1]が出力する転送信号Ｓ[i-1]（第０段目の単位回路ＵA[0]については制御回路４０からの開始パルスＰ0）をクロック信号ＣLKの半周期だけ遅延させることで転送信号Ｓ[i]を生成して出力する。したがって、転送信号Ｓ[0]〜Ｓ[m]の各々には開始パルスＰ0に対応したパルス幅Ｔpの転送パルスＰSが配置される。図５においては、転送パルスＰSのパルス幅Ｔpがクロック信号ＣLKの２周期分（２Ｔ）となるように開始パルスＰ0のパルス幅を設定した場合が想定されている。図５に示すように、相前後する各転送信号Ｓ[i]の転送パルスＰSは時間軸上で重複する。
【００２１】
図４のパルス生成回路５４は、転送信号Ｓ[0]〜Ｓ[m]からｍ相の走査信号Ｙ[1]〜Ｙ[m]を生成する。図４に示すように、パルス生成回路５４は、走査線２２の総数に相当するｍ個の単位回路ＵB[1]〜ＵB[m]を含んで構成される。単位回路ＵB[1]〜ＵB[m]には、論理レベルが反対の許可信号ＥAと許可信号ＥBとが制御回路４０から共通に供給される。図５に示すように、許可信号ＥAおよび許可信号ＥBは、クロック信号ＣLKの半分の周期（１/２Ｔ）で論理レベルが変動する周期信号である。
【００２２】
図６は、単位回路ＵB[i]の回路図である。なお、単位回路ＵB[1]〜ＵB[m]の構成は共通するから、以下では第ｉ段目の単位回路ＵB[i]のみについて代表的に説明する。図４および図６に示すように、単位回路ＵB[i]は、自段の転送信号Ｓ[i]と前段の転送信号Ｓ[i-1]とから第ｉ行の走査信号Ｙ[i]を生成する。図６に示すように、単位回路ＵB[i]は、論理回路６１と論理回路６２とＮＡＮＤ回路６３とを含んで構成される。論理回路６１は信号Ａ[i]を生成し、論理回路６２は信号Ｂ[i]を生成する。
【００２３】
図６に示すように、論理回路６１は、反転回路６１２とＮＡＮＤ回路６１４とで構成される。反転回路６１２は、転送信号Ｓ[i]の論理レベルを反転させる。ＮＡＮＤ回路６１４は、反転回路６１２の出力信号と前段の転送信号Ｓ[i-1]と許可信号ＥAとの否定論理積を信号Ａ[i]として出力する。したがって、信号Ａ[i]は、図５に示すように、転送信号Ｓ[i]の転送パルスＰSの前縁において転送信号Ｓ[i-1]とは論理レベルが反対となる区間（転送信号Ｓ[i]における転送パルスＰSの発生前のローレベルの区間）Ｇ1のうち許可信号ＥAがハイレベルとなる区間にてローレベルに設定され、当該区間以外にてハイレベルを維持する。すなわち、信号Ａ[i]には、転送信号Ｓ[i]の転送パルスＰSの前縁に対応したパルスＰA0が発生する。以上のように論理回路６１は、転送パルスＰSの前縁の検出に利用される。
【００２４】
論理回路６１と同様に、図６の論理回路６２は、反転回路６２２とＮＡＮＤ回路６２４とで構成される。反転回路６２２は、前段の転送信号Ｓ[i-1]の論理レベルを反転させる。ＮＡＮＤ回路６２４は、反転回路６２２の出力信号と自段の転送信号Ｓ[i]と許可信号ＥBとの否定論理積を信号Ｂ[i]として出力する。したがって、信号Ｂ[i]は、図５に示すように、転送信号Ｓ[i]の転送パルスＰSの後縁において転送信号Ｓ[i-1]とは論理レベルが反対となる区間（転送信号Ｓ[i-1]における転送パルスＰSの発生後のローレベルの区間）Ｇ2のうち許可信号ＥBがハイレベルとなる区間にてローレベルに設定され、当該区間以外にてハイレベルを維持する。すなわち、信号Ｂ[i]には、転送信号Ｓ[i]の転送パルスＰSの後縁に対応するパルスＰB0が発生する。以上のように論理回路６２は、転送パルスＰSの後縁の検出に利用される。
【００２５】
図６のＮＡＮＤ回路６３は、論理回路６１（ＮＡＮＤ回路６１４）が出力する信号Ａ[i]と論理回路６２（ＮＡＮＤ回路６２４）が出力する信号Ｂ[i]との否定論理積を走査信号Ｙ[i]として走査線２２に出力する。したがって、走査信号Ｙ[i]には、図５に示すように、信号Ａ[i]のパルスＰA0に対応した選択パルスＱAと信号Ｂ[i]のパルスＰB0に対応した選択パルスＱBとが発生する。以上の動作をｍ個の単位回路ＵB[1]〜ＵB[m]の各々が同様に実行することでｍ相の走査信号Ｙ[1]〜Ｙ[m]が生成される。
【００２６】
以上のように走査信号Ｙ[1]〜Ｙ[m]の各々における２個の選択パルスＱ（ＱA，ＱB）は１個の開始パルスＰ0から生成されるため、各走査信号Ｙ[i]の１個の選択パルスＱの生成に１個の開始パルスＰ0が必要な従来の技術と比較すると、走査信号Ｙ[1]〜Ｙ[m]の生成に必要な開始パルスＰ0の個数が半分に削減される。したがって、開始パルスＰ0の生成や処理に必要な電力が低減されるという利点がある。
【００２７】
また、転送信号Ｓ[i]における転送パルスＰSのパルス幅Ｔpは開始パルスＰ0のパルス幅に応じて変化するから、転送パルスＰSの前縁に対応する選択パルスＱAと後縁に対応する選択パルスＱBとの時間差Ｄ（さらにはサブフィールド期間ＳF1の時間長）は開始パルスＰ0のパルス幅に応じて可変に設定される。例えば、図７のように転送パルスＰSのパルス幅Ｔpがクロック信号ＣLKの４周期分（４Ｔ）となるように開始パルスＰ0を設定した場合、走査信号Ｙ[i]における選択パルスＱAと選択パルスＱBとの時間差Ｄは図５の場合の約２倍に設定される。一方、図８のように転送パルスＰSのパルス幅Ｔpがクロック信号ＣLKの半周期分（0.5Ｔ）となるように開始パルスＰ0を設定した場合、走査信号Ｙ[i]の選択パルスＱAと選択パルスＱBとは時間軸上で連続して１個のパルスを形成する。以上のように本形態においては、１本の走査線２２の選択の間隔（図３における領域Ａ1のＹ方向のサイズ）を開始パルスＰ0のパルス幅に応じて容易かつ確実に制御できるという利点がある。
【００２８】
＜Ｂ：第２実施形態＞
次に、本発明の第２実施形態について説明する。なお、以下の各形態において作用や機能が第１実施形態と同等である要素については、以上と同じ符号を付して各々の詳細な説明を適宜に省略する。
【００２９】
図９は、走査線駆動回路３２のパルス生成回路５４における第ｉ段目の単位回路ＵB[i]のブロック図であり、図１０は、走査線駆動回路３２の動作を示すタイミングチャートである。図９に示すように、単位回路ＵB[i]は、論理回路７１と論理回路７２とＮＡＮＤ回路７３とを含んで構成される。論理回路７１および論理回路７２には、転送回路５２の単位回路ＵA[i]が生成した転送信号Ｓ[i]が供給される。
【００３０】
論理回路７１は、図１０に示すように、転送信号Ｓ[i]における転送パルスＰSの前縁に対応する時点にパルスＰA0を配置した信号Ａ[i]を生成する。さらに詳述すると、論理回路７１は、転送信号Ｓ[i]における転送パルスＰSの前縁の時点からクロック信号ＣLKの１/４周期分が経過した時点で信号Ａ[i]をローレベル（パルスＰA0の前縁）に設定し、転送パルスＰSの前縁の時点からクロック信号ＣLKの１/２周期分が経過した時点で信号Ａ[i]をハイレベル（パルスＰA0の後縁）に復帰させる。
【００３１】
図９の論理回路７２は、図１０に示すように、転送信号Ｓ[i]における転送パルスＰSの後縁に対応する時点にパルスＰB0を配置した信号Ｂ[i]を生成する。さらに詳述すると、論理回路７２は、転送パルスＰSの後縁の時点にて信号Ｂ[i]をローレベル（パルスＰB0の前縁）に設定し、クロック信号ＣLKの１/４周期分が経過した時点で信号Ｂ[i]をハイレベル（パルスＰB0の後縁）に復帰させる。例えば転送パルスＰSの前縁や後縁の時点から計数を開始する計数回路を利用して論理回路７１や論理回路７２が構成される。
【００３２】
図９のＮＡＮＤ回路７３は、第１実施形態のＮＡＮＤ回路６３と同様に、論理回路７１が出力する信号Ａ[i]と論理回路７２が出力する信号Ｂ[i]との否定論理積を走査信号Ｙ[i]として走査線２２に出力する。したがって、図１０に示すように、走査信号Ｙ[i]には、信号Ａ[i]のパルスＰA0に対応した選択パルスＱAと信号Ｂ[i]のパルスＰB0に対応した選択パルスＱBとが発生する。
【００３３】
以上の構成においても走査信号Ｙ[1]〜Ｙ[m]の各々における２個の選択パルスＱ（ＱA，ＱB）が１個の開始パルスＰ0から生成されるため、第１実施形と同様に、走査信号Ｙ[1]〜Ｙ[m]の生成に必要な開始パルスＰ0の個数が削減される。また、信号Ａ[i]のパルスＰA0および信号Ｂ[i]のパルスＰB0は転送パルスＰSの前縁および後縁に対応した時点に配置されるから、走査信号Ｙ[i]における選択パルスＱAと選択パルスＱBとの時間差Ｄ（サブフィールド期間ＳF1の時間長）を、開始パルスＰ0のパルス幅（転送信号Ｓ[i]の転送パルスＰSのパルス幅Ｔp）に応じて容易に制御できるという利点もある。
【００３４】
第１実施形態および第２実施形態の説明から理解されるように、相前後する各転送信号Ｓ[i]の論理レベルを比較するという第１実施形態の構成は本発明において必須ではない。すなわち、第１実施形態および第２実施形態のパルス生成回路５４は、転送信号Ｓ[i]における転送パルスＰSの前縁に対応した時点に選択パルスＱA（パルスＰA0）を配置するとともに転送信号Ｓ[i]における転送パルスＰSの後縁に対応した時点に選択パルスＱB（パルスＰB0）を配置した走査信号Ｙ[i]を生成するという共通の作用を実現する要素の具体例である。
【００３５】
＜Ｃ：変形例＞
以上の各形態は様々に変形される。各形態に対する変形の具体的な態様を以下に例示する。なお、以下の例示から２以上の態様を任意に選択して組合わせてもよい。
【００３６】
（１）変形例１  
液晶素子１４に印加される電圧の極性を素子部１０の領域Ａ1と領域Ａ2とで反転させる領域走査駆動方式を例示したが、画素回路１２の駆動の方法は適宜に変更される。例えば、以下に例示するサブフィールド駆動方式の電気光学装置１００にも以上の各形態が採用される。図１１に示すように、サブフィールド駆動方式のもとでは、１個のフィールド期間Ｆを区分した複数のサブフィールド期間ＳF（ＳF1〜ＳF4）の各々にて液晶素子１４がオン状態またはオフ状態に制御され、１フィールド期間Ｆのうち液晶素子１４がオン状態を維持する時間長の総和に応じて当該液晶素子１４の階調が制御される。
【００３７】
走査線駆動回路３２は、ｍ本の走査線２２の各々を各フィールド期間Ｆのサブフィールド期間ＳF毎に選択し、信号線駆動回路３４は、液晶素子１４をオン状態またはオフ状態とする階調信号Ｘ[j]を走査線２２の選択中に各信号線２４に出力する。したがって、図１１に示すように、走査信号Ｙ[i]には、各サブフィールド期間ＳFの始点に対応した時点に選択パルスＱ（ＱA，ＱB，ＱC，ＱD）が配置される。
【００３８】
図１１の走査信号Ｙ[i]を生成するために、１個のフィールド期間Ｆについて２個の開始パルスＰ0が制御回路４０から走査線駆動回路３２に供給される。選択パルスＱAおよび選択パルスＱBは、１個目の開始パルスＰ0をシフトした転送信号Ｓ[i]の転送パルスＰSの前縁および後縁に対応して生成され、選択パルスＱCおよび選択パルスＱDは、２個目の開始パルスＰ0をシフトした転送信号Ｓ[i]の転送パルスＰSの前縁および後縁に対応して生成される。各開始パルスＰ0の時間長や発生の時期は、例えば図１１に示すように、複数のサブフィールド期間ＳFの時間長の相対比が２のべき乗（ＳF1：ＳF2：ＳF3：ＳF4＝１：２：４：８）となるように設定される。
【００３９】
（２）変形例２  
以上の各形態においては、複数の走査線２２が同時に選択されることを防止するために許可信号ＥAおよび許可信号ＥBを利用したが、許可信号ＥAや許可信号ＥBを使用しなくても複数の走査線２２が同時に選択されない（あるいは問題とならない）のであれば、許可信号ＥAや許可信号ＥBは省略される。
【００４０】
例えば、サブフィールド駆動方式のもとで、１個のサブフィールド期間ＳFにてｍ本の走査線２２の選択が完了してから次のサブフィールド期間ＳFにおけるｍ本の走査線２２の選択が開始されるような場合、許可信号ＥAや許可信号ＥBを使用しなくても走査線２２の選択は重複しない。したがって、許可信号ＥAおよび許可信号ＥBは省略される。そして、例えば図１２に示すように、転送信号Ｓ[i-1]と転送信号Ｓ[i]との排他的論理和（あるいは転送信号Ｓ[i+1]と転送信号Ｓ[i]との排他的論理和）を走査信号Ｙ[i]として出力するＸＯＲ（exclusive or）回路が単位回路ＵB[i]として採用される。第１実施形態や第２実施形態と同様に、図１２の走査信号Ｙ[i]には、転送信号Ｓ[i]の転送パルスＰSの前縁に対応する選択パルスＱAと後縁に対応する選択パルスＱBとが配置される。
【００４１】
（３）変形例３  
液晶素子１４は電気光学素子の例示に過ぎない。本発明の電気光学装置に適用される電気光学素子について、自身が発光する自発光型と外光の透過率や反射率を変化させる非発光型（例えば液晶素子１４）との区別や、電流の供給によって駆動される電流駆動型と電界（電圧）の印加によって駆動される電圧駆動型との区別は不問である。例えば、無機ＥＬ素子，電界電子放出素子（ＦＥ（Field-Emission）素子），表面伝導型電子放出素子（ＳＥ（Surface conduction Electron emitter）素子），弾道電子放出素子（ＢＳ（Ballistic electron Emitting）素子），ＬＥＤ（Light Emitting Diode）素子，電気泳動素子、エレクトロクロミック素子など様々な電気光学素子を利用した電気光学装置に本発明は適用される。すなわち、電気光学素子とは、電流の供給や電圧（電界）の印加といった電気的な作用に応じて階調（透過率や輝度といった光学的な特性）が変化する素子である。
【００４２】
＜Ｄ：応用例＞
次に、以上の各態様に係る電気光学装置１００を利用した電子機器について説明する。図１３ないし図１５には、電気光学装置１００を表示装置として採用した電子機器の形態が図示されている。
【００４３】
図１３は、電気光学装置１００を採用したモバイル型のパーソナルコンピュータの構成を示す斜視図である。パーソナルコンピュータ２０００は、各種の画像を表示する電気光学装置１００と、電源スイッチ２００１やキーボード２００２が設置された本体部２０１０とを具備する。
【００４４】
図１４は、電気光学装置１００を適用した携帯電話機の構成を示す斜視図である。携帯電話機３０００は、複数の操作ボタン３００１およびスクロールボタン３００２と、各種の画像を表示する電気光学装置１００とを備える。スクロールボタン３００２を操作することによって、電気光学装置１００に表示される画面がスクロールされる。
【００４５】
図１５は、電気光学装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する電気光学装置１００とを備える。電源スイッチ４００２を操作すると、住所録やスケジュール帳といった様々な情報が電気光学装置１００に表示される。
【００４６】
なお、本発明に係る電気光学装置が適用される電子機器としては、図１３から図１５に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る電気光学装置の用途は画像の表示に限定されない。例えば、電子写真方式の画像形成装置において露光により感光体ドラムに潜像を形成する露光装置としても本発明の電気光学装置は利用される。
【図面の簡単な説明】
【００４７】
【図１】本発明の第１実施形態に係る電気光学装置のブロック図である。
【図２】走査信号の波形図である。
【図３】領域走査駆動方式の説明図である。
【図４】走査線駆動回路のブロック図である。
【図５】走査線駆動回路の動作を示すタイミングチャートである。
【図６】パルス生成回路を構成する各単位回路の回路図である。
【図７】開始パルスのパルス幅を延長した場合の動作を示すタイミングチャートである。
【図８】開始パルスのパルス幅を短縮した場合の動作を示すタイミングチャートである。
【図９】本発明の第２実施形態に係るパルス生成回路の単位回路のブロック図である。
【図１０】走査線駆動回路の動作を示すタイミングチャートである。
【図１１】変形例に係る走査信号の波形図である。
【図１２】変形例に係る走査線駆動回路の動作を示すタイミングチャートである。
【図１３】電子機器（パーソナルコンピュータ）の斜視図である。
【図１４】電子機器（携帯電話機）の斜視図である。
【図１５】電子機器（携帯情報端末）の斜視図である。
【符号の説明】
【００４８】
１００……電気光学装置、１０……素子部、１２……画素回路、１４……液晶素子、２２……走査線、２４……信号線、３２……走査線駆動回路、３４……信号線駆動回路、４０……制御回路、５２……転送回路、５４……パルス生成回路、ＵA[i]（ＵA[1]〜ＵA[m]）……単位回路、ＵB[i]（ＵB[1]〜ＵB[m]）……単位回路、６１，６２，７１，７２……論理回路、６１２，６２２……反転回路、６１４，６２４，６３，７３……ＮＡＮＤ回路、Ｙ[i]（Ｙ[1]〜Ｙ[m]）……走査信号、Ｘ[j]（Ｘ[1]〜Ｘ[n]）……階調信号、Ｐ0……開始パルス、Ｓ[i]（Ｓ[0]〜Ｓ[m]）……転送信号、ＰS……転送パルス、ＱA，ＱB，ＱC，ＱD……選択パルス。
【図１】
2010048935.tif 000003
【図２】
2010048935.tif 000004
【図３】
2010048935.tif 000005
【図４】
2010048935.tif 000006
【図５】
2010048935.tif 000007
【図６】
2010048935.tif 000008
【図７】
2010048935.tif 000009
【図８】
2010048935.tif 000010
【図９】
2010048935.tif 000011
【図１０】
2010048935.tif 000012
【図１１】
2010048935.tif 000013
【図１２】
2010048935.tif 000014
【図１３】
2010048935.tif 000015
【図１４】
2010048935.tif 000016
【図１５】
2010048935.tif 000017